(57)【要約】【課題】小型化を損なうことなく、動画撮影時の操作ボタンの動作音を低減可能な撮像装置を提供すること。【解決手段】音声データが開口部を介して入力される音声入力手段と、動画撮影の開始および停止、または動画撮影中に静止画撮影を行う場合に押圧操作される第１の操作手段と、を有し、第１の操作手段は、押圧操作された場合に開口部を塞ぐ閉塞部を備える。【選択図】図６
2019133050.tif 000002
【特許請求の範囲】
【請求項１】
音声データが開口部を介して入力される音声入力手段と、
動画撮影の開始および停止、または動画撮影中に静止画撮影を行う場合に押圧操作される第１の操作手段と、を有し、
前記第１の操作手段は、押圧操作された場合に前記開口部を塞ぐ閉塞部を備えることを特徴とする撮像装置。
【請求項２】
前記音声入力手段は、前記第１の操作手段の光軸方向の投影面積内に設けられていることを特徴とする請求項１に記載の撮像装置。
【請求項３】
前記音声入力手段を覆い、前記開口部が形成されている弾性部材を更に有することを特徴とする請求項１または２に記載の撮像装置。
【請求項４】
前記弾性部材は、前記第１の操作手段を支持し、押圧操作された前記第１の操作手段が押圧方向へ移動するように変形する当接部を有することを特徴とする請求項３に記載の撮像装置。
【請求項５】
動画撮影の開始および停止を行う場合に押圧操作される第２の操作手段を更に有し、
前記第１の操作手段は、動画撮影中に静止画撮影を行う場合に押圧操作されることを特徴とする請求項１から４のいずれか１項に記載の撮像装置。
【請求項６】
前記第１の操作手段は、１段階の押圧操作が可能であり、
前記第２の操作手段は、複数段階の押圧操作が可能であり、
前記第２の操作手段の操作ストロークは、前記第１の操作ストロークに比べて長いことを特徴とする請求項５に記載の撮像装置。
【請求項７】
音声データを出力する音声出力手段と、を更に有し、
前記音声出力手段は、前記第１の操作手段の光軸方向の投影面積内に設けられていることを特徴とする請求項１から６のいずれか１項に記載の撮像装置。
【発明の詳細な説明】
【技術分野】
【０００１】
本発明は、音声データが入力される音声入力手段を備える撮像装置に関する。
【背景技術】
【０００２】
近年、撮像装置は、小型化が急速に進んでおり、アウトドアでのウェアラブル用途にも使用されている。小型化が進む反面、ウェアラブル用途の撮像装置では、グローブ等を着用した状態においても操作可能となるように、静止画撮影または動画撮影を実行するためのレリーズ（シャッター）ボタン等の操作ボタンに対する大型化の要望が高くなっている。レリーズボタン等の操作ボタンを大型化すると、操作性向上のためにクリック感を強くする傾向にあるが、動画撮影の開始や停止、または動画撮影中の静止画撮影を行う場合の操作音が大きく発生し、動画データに入力されてしまう。
【０００３】
特許文献１では、半押し位置で静止画撮影準備動作を実行する信号を送出し、全押し位置で静止画撮影動作を実行する信号を送出する操作手段と、動画撮影中の操作手段の全押し位置への移動を制限する制限手段とを備える撮像装置が開示されている。
【先行技術文献】
【特許文献】
【０００４】
【特許文献１】特開２０１２−１５９５９２号公報
【発明の概要】
【発明が解決しようとする課題】
【０００５】
特許文献１の撮像装置では、制限手段により動画撮影中の操作手段の全押し位置への移動を制限する際、ドライバを制御してソレノイドによりプランジャを突出して制限手段を挿入位置に移動させる。そのため、プランジャや制限手段を設置するスペースが必要であり、装置の大型化を避けることができない。
【０００６】
本発明は、小型化を損なうことなく、動画撮影時の操作ボタンの動作音を低減可能な撮像装置を提供することを目的とする。
【課題を解決するための手段】
【０００７】
本発明の一側面としての撮像装置は、音声データが開口部を介して入力される音声入力手段と、動画撮影の開始および停止、または動画撮影中に静止画撮影を行う場合に押圧操作される第１の操作手段と、を有し、前記第１の操作手段は、押圧操作された場合に前記開口部を塞ぐ閉塞部を備えることを特徴とする。
【発明の効果】
【０００８】
本発明によれば、小型化を損なうことなく、動画撮影時の操作ボタンの動作音を低減可能な撮像装置を提供することが可能である。
【図面の簡単な説明】
【０００９】
【図１】本発明の実施形態に係るカメラシステムの外観斜視図である。
【図２】電源モジュールを取り外された状態の本体部の外観斜視図である。
【図３】本体部の分解斜視図である。
【図４】筐体カバーユニットの分解斜視図である。
【図５】第２のレリーズボタンの斜視図である。
【図６】カメラシステムの構成の説明図である。
【図７】カメラシステムの構成の説明図である。
【図８】カメラシステムの構成の説明図である。
【発明を実施するための形態】
【００１０】
以下、本発明の実施例について、図面を参照しながら詳細に説明する。各図において、同一の部材については同一の参照番号を付し、重複する説明は省略する。
【００１１】
図１は、本発明の実施形態に係るカメラシステムの外観斜視図である。図１（ａ）は、前方向から見た場合のカメラシステムの斜視図、図１（ｂ）は後方向から見た場合のカメラシステムの斜視図である。本発明の実施形態に係るカメラシステムは、本体部（撮像装置）１にアクセサリモジュール２０を装着して使用可能とするモジュール組替え式のカメラシステムである。以下の説明では、カメラシステムに対して被写体側を前側と定義して各部の位置関係を説明する。
【００１２】
本体部１の上面部には、第１レリーズボタン４およびＷｉＦｉボタン６が設けられている。第１レリーズボタン４は、２段階の押圧操作が可能である。第１レリーズボタン４に対して１段階目の押圧操作（半押し操作）が行われると、測光動作や焦点検出動作等の撮影準備動作が開始される。第１レリーズボタン４に対して２段階目の押圧操作（全押し操作）が行われると、被写体の撮像動作が開始され、撮像された画像のデータが記録媒体に記録される。ＷｉＦｉボタン６は、１段階の押圧操作が可能である。ＷｉＦｉボタン６が押圧操作されると、カメラシステムは専用アプリケーションがインストールされた外部機器と無線接続することができ、外部機器からの操作で画像の閲覧や取り込みを行うことが可能となる。
【００１３】
本体部１の前面部には、保護レンズホルダユニット２および第２レリーズボタン５が設けられている。保護レンズホルダユニット２は、後述する撮像ユニット１３ａを保護する部材であり、白板ガラス等の可視域から赤外域に至る広い波長域で高い透過率を持つ無色透明なガラス材から構成され、反射防止処理を目的としたＡＲコート等の表面処理が施されている。第２レリーズボタン５は、１段階の押圧操作が可能である。第２レリーズボタン５に対して押圧操作が行われると、被写体の撮像動作が開始される。第２レリーズボタン５は、屋外使用や手袋等の着用により操作性を損なうことがないように、撮像ユニット１３ａの下側に、本体部１の前面部の面積の多くの割合を占めて配置されている。
【００１４】
ユーザーは、第１レリーズボタン４と第２レリーズボタン５に対して、カスタマイズに機能を登録することができる。例えば、第１レリーズボタン４を静止画撮影ボタン、第２レリーズボタン５を動画撮影の開始および停止のボタンに登録してもよい。この場合、第２レリーズボタン５に対する最初の操作で動画撮影が開始され、次の操作で動画撮影が終了となる。また、第１レリーズボタン４を静止画モード選択時は静止画撮影ボタン、動画モード選択時は動画撮影の開始および停止のボタン、第２レリーズボタン５を動画モード選択時のみ動画撮影中の静止画撮影ボタンに登録してもよい。この場合、動画撮影中に動画フレームをバッファメモリに記憶する動作を行いながら、第２レリーズボタン５に対する操作に応じて、次の動画フレームを撮影する間に静止画撮影が行われ、静止画が記録される。第１レリーズボタン４または第２レリーズボタン５の操作によって撮像された動画像のデータは、記録媒体に記録される。記録媒体は、記録媒体収納蓋９が開けられることで、本体部１に装着可能となる。
【００１５】
本体部１の側面部には、電源ボタン７、および電源や信号の入出力用ジャック（不図示）が設けられている。電源ボタン７が操作されると、カメラシステムが起動または停止する。入出力用ジャックは、保護用のジャックカバー部８で覆われている。ジャックカバー部８が開かれることで、入出力用ジャックへの各種ケーブル類の抜き差しが可能となる。
【００１６】
アクセサリモジュール２０は、ユーザーが必要とする機能に応じて選択され、本体部１の背面に取り付けられることで使用することができる。ロックレバー操作部１０ａは、アクセサリモジュール２０を本体部１から取り外し可能な状態にするロック解除位置と、アクセサリモジュール２０が本体部１に固定される状態にするロック位置との間で回動可能に操作される。アクセサリモジュール２０には、例えば、以下のモジュールがある。
・電源となる主電池（一次電池または二次電池）を収納する電源モジュール。
・外部機器と通信するコネクタを有する外部Ｉ／Ｏ（入出力）モジュール。
・近距離無線通信を行うＮＦＣ（Ｎｅａｒ  Ｆｉｅｌｄ  Ｃｏｍｍｕｎｉｃａｔｉｏｎ）モジュール。
・外部機器と無線通信でデータの送受信を行う通信モジュール。
・音楽や操作音を出力するスピーカモジュール。
・音声が入力されるマイクモジュール。
・記録媒体の容量を超えるデータを保存する大容量の記録モジュール。
・液晶表示装置（ＬＣＤ）等が設けられた表示モジュール。
・本体部１またはアクセサリモジュール２０から発生した熱を蓄熱する冷却ユニット。
【００１７】
本実施形態では、アクセサリモジュール２０として、電源となる主電池を収納する電源モジュール２０ａが選択された場合について説明する。電源モジュール２０ａは、カメラシステムの各部に必要な所定の電圧および電流を供給する。電源モジュール２０ａの要部となる電池は、Ｌｉ−ｉｏｎ電池や燃料電池等が用いられ、電源モジュール２０ａ内に収められている。
【００１８】
図２は、電源モジュール２０ａが取り外された状態の撮像装置の外観斜視図である。図２（ａ）は前方向から見た場合の本体部１の斜視図、図２(ｂ)は後方向から見た場合の本体部１の斜視図である。
【００１９】
電源モジュール２０ａは、バヨネット結合により本体部１に装着される。電源モジュール２０ａは、本体部１に装着される前面部に、環状部２１ａ、係合凸部２１ｂおよびコネクタ部２２を有する。環状部２１ａには、周方向に沿って、複数の爪部２１ａａが形成されている。複数の爪部２１ａａはそれぞれ、後述するロックレバー１０ａを有するロックレバー１０に形成された爪部に係合する。
【００２０】
係合凸部２１ｂは、環状部２１ａの外側において、コネクタ部２２の左右両側に配置された係合ピンであり、電源モジュール２０ａが本体部１に装着される際に、本体部１の背面部に設けられている係合凹部１５ａに係合する。係合凸部２１ｂは、電源モジュール２０ａを本体部１への装着時に先導する役目と、コネクタ部２２の接続を確実に行う役目とを有する。また、電源モジュール２０ａの前面を基準として、係合凸部２１ｂの突出量はコネクタ部２２の突出量よりも大きいので、係合凸部２１ｂはコネクタ部２２を保護することができる。例えば、電源モジュール２０ａの落下等による衝撃がコネクタ部２２に直接加わることを回避できる。
【００２１】
コネクタ部２２は、環状部２１ａの内側に設けられ、本体部１に設けられたコネクタ部１４に電気的に接続される。本実施形態では、コネクタ部２２は前方に突出したプラグであり、コネクタ部１４はジャックである。
【００２２】
コネクタ部１４の周囲には、銅やアルミニウムなどの熱伝導率の高い材料で形成された放熱部１７が設けられている。放熱部１７は、本体部１と電源モジュール２０ａとの間に設けられ、本体部１の内部の熱を電源モジュール２０ａの外装周囲に拡散させ、本体部１の内部での局所的な温度上昇を抑制する。
【００２３】
図３は、本体部１の分解斜視図である。筐体カバーユニット３と保持部材１５との間に形成される内部空間には、構造体１１、メインシャーシ１２、回路基板部１３、放熱部１７、背面板１８およびロックレバー１０が設けられている。背面板１８および保持部材１５に設けられた貫通穴を挿通し、筐体カバーユニット３のタップ穴に挿入されるビス１９により、筐体カバーユニット３と保持部材１５は締結固定されている。
【００２４】
第１レリーズボタン４と第２レリーズボタン５の機構およびスイッチ基板は、筐体カバーユニット３に組み込まれている。スイッチ基板は、主基板および補助基板を有する回路基板部１３に接続されている。主基板には、撮像ユニット１３ａ、画像処理部、電源供給切換回路、ＤＣ／ＤＣコンバータ、システム制御部、シリアルＩ／Ｆおよびシリアル接続端子等が実装されている。補助基板には、カードＩ／Ｆ等を含む記録媒体スロットや外部電源入力端子等が実装されている。撮像ユニット１３ａは、光学系およびＣＣＤイメージセンサ（電荷結合素子）やＣＭＯＳイメージセンサ（相補型金属酸化膜半導体）等の撮像素子を有する。撮像素子は、光学系により結像された被写体像を光電変換して画像データを生成する。撮像素子で生成された画像データは、主基板に実装されている画像処理部によりデジタル情報に変換される。回路基板部１３で発生した熱は、放熱部１７を介して電源モジュール２０ａに伝達される。
【００２５】
図４は、筐体カバーユニット３の分解斜視図である。図５は、第２レリーズボタン５の斜視図である。図５（ａ）は前方から見た場合の斜視図、図５（ｂ）は後方から見た場合の斜視図である。筐体カバー３０の上面側に第１レリーズボタン４およびＷｉＦｉボタン６、側面側に電源ボタン７、前面側に第２レリーズボタン５が操作ボタンとして配置されている。
【００２６】
第１レリーズボタン４の押し込み方向（押圧方向）において、防塵・防水機能を高めるために、第１レリーズボタン４と筐体カバー孔部３０ａとの間には、第１パッキン部材３５ａが設けられている。同様に、ＷｉＦｉボタン６の押し込み方向において、ＷｉＦｉボタン６と筐体カバー孔部３０ｂとの間には、第２パッキン部材３５ｂが設けられている。また、電源ボタン７の押し込み方向において、電源ボタン７と筐体カバー孔部３０ｃとの間には、第３パッキン部材３５ｃが設けられている。各パッキン部材は、防塵・防水機能のみならず、各ボタン内に収納されるスイッチの外部に漏れる弾き音を低減させることができる。
【００２７】
第１レリーズボタン４、ＷｉＦｉボタン６および電源ボタン７は、各パッキン部材の中央の孔部に、各ボタンの押し子が挿通されて位置固定がなされる。各ボタンが各パッキン部材の弾性力に抗する方向へ押圧操作されると、パッキン部材を介してタクトスイッチが押圧される。第１レリーズボタン４およびＷｉＦｉボタン６は、上面側化粧板３３により両面テープ３４を介して筐体カバーユニット３に接着固定されている。また、電源ボタン７は、側面側化粧板３７により両面テープ３８を介して筐体カバーユニット３に接着固定されている。これにより、第１レリーズボタン４、ＷｉＦｉボタン６および電源ボタン７の筐体カバー３０からの抜け止めがなされる。
【００２８】
第２レリーズボタン５の前面側には、第２レリーズボタン５の操作箇所を誘導するための指標５ａが設けられている。指標５ａは、小さな力で第２レリーズボタン５を操作できるように、上部に設けられているヒンジ部５ｃから離れた位置（下側）に突起形状にて設けられている。第２レリーズボタン５の裏側には、押し子（凸部）５ｂが設けられている。ヒンジ部５ｃには、前面側化粧板３１の延出部３１ａが組み込まれる。これにより、第２レリーズボタン５の筐体カバー３０からの抜け止めがなされる。
【００２９】
前面側操作フレキシブル基板４１は、筐体カバーユニット３の背面側から前面側シャーシ４５によって位置決め固定され、筐体カバー３０の背面側から組み込まれている第４パッキン部材（弾性部材）４０により覆われている。前面側操作フレキシブル基板４１には、レリーズ用のタクトスイッチ４２が実装されている。タクトスイッチ４２は、メタルドーム式のスイッチであり、第４パッキン部材４０の凸部４０ａにより覆われている。第２レリーズボタン５が押圧操作されると、タクトスイッチ４２の出力信号は、前面側操作フレキシブル基板４１の配線パターンを通り、回路基板部１３の主基板に伝達される。スピーカ（音声出力手段）４３は、薄膜のゴムで形成された第４パッキン部材４０の凸部４０ｃにより覆われている。スピーカ４３が音声データを出力すると、凸部４０ｃが振動して外部に音声が伝達される。マイク（音声入力手段）４４は、第４パッキン部材４０の凸部４０ｄ内に挿入され、前面側操作フレキシブル基板４１のパターンが露出した接点接続部と接触導通している。凸部４０ｄには、マイク４４に音声データを入力するための開口部が形成されている。第４パッキン部材４０として、耐油性ゴムであるニトリルゴム、耐熱耐油性ゴムであるフッ素ゴム、運動性能に優れたウレタンなどを使用すればよい。また、第４パッキン部材４０として、他のゴム材料、樹脂材料、ゴムとテフロン等樹脂の複合などを使用環境に応じて使用してもよい。なお、本実施形態では、第４パッキン部材４０は、ゴム素材で構成されているが、十分な弾性力を有する材料であればこの限りではない。
【００３０】
タクトスイッチ４２、スピーカ４３およびマイク４４はそれぞれ、第４パッキン部材４０の各凸部に覆われ、それぞれ独立して収納されている。これにより、タクトスイッチ４２が押下された際に、クリック板の変形によって発生する作動音やスピーカ４３の振動音等がマイク４４に音入力されにくくなっている。また、スピーカ４３およびマイク４４は第２レリーズボタン５の光軸方向の投影面積内に配置されているため、それぞれの配置の自由度およびマイク集音孔やスピーカ通音孔が外観に露呈しないことによるデザインの向上が望める。さらに、マイク集音孔やスピーカ通音孔が外装表面に露出せず、第２レリーズボタン５によって保護されているため、風切り音を低減して動画撮影を行うことができる。
【００３１】
筐体カバーユニット３の鏡筒開口部には、前述したように、撮像ユニット１３ａを、傷、塵および水などから保護するための保護レンズホルダユニット２が筐体カバー３０に着脱可能に取り付けられている。保護レンズホルダユニット２では、保護レンズホルダ２ｃに、両面テープ２ｂを介して保護レンズ２ａが接着されている。保護レンズ２ａには、表面硬度を上げて傷を付け難くするハードコートまたは光の反射防止やガラスに汚れがついても容易に拭き取れるようにマルチコート等が施されている。筐体カバー３０側には、防塵・防滴用のクッション部材３２が両面テープ３２ａによって固定されている。クッション部材３２の保護レンズホルダユニット２との当接部には、保護レンズホルダユニット２に接触することによるクッション部材３２のねじれや変形を防止するために、ＰＥＴシートが貼られている。
【００３２】
図６（ａ）はカメラシステムの正面図、図６（ｂ）は図６（ａ）のＡ−Ａ線断面図、および図６（ｃ）は図６（ｂ）のＢ部の拡大図である。図７（ａ）はカメラシステムの正面図、図７（ｂ）は図７（ａ）のＣ−Ｃ線断面図、および図７（ｃ）は図７（ｂ）のＤ部の拡大図である。
【００３３】
第２レリーズボタン５は、ヒンジ部５ｃが筐体カバー溝部３０ｄに挿入されることで、筐体カバー３０に回動可能に固定されている。押し子５ｂは、凸部４０ａに嵌合している。凸部４０ａは、筐体カバー孔部３０ｅに嵌っている。第２レリーズボタン５は、第４パッキン部材４０の凸部４０ａおよび壁部４０ｅによって通常時にタクトスイッチ４２に接触しないように支持されている。
【００３４】
凸部４０ａの周囲には、薄膜のテーパー形状４０ｂが形成されている。本実施形態では、凸部４０ａおよびテーパー形状４０ｂにより当接部が構成されている。第２レリーズボタン５が押圧操作されると、テーパー形状４０ｂが変形し、第２レリーズボタン５が押圧方向へ移動する。これにより、凸部４０ａがタクトスイッチ４２を押圧する。このような操作を動画撮影中に行うと、マイク４４にタクトスイッチ４２の作動音が入力され易くなる。そこで、本実施形態では、第２レリーズボタン５が押圧操作され、タクトスイッチ４２からスイッチ作動音が発生する直前に、押し子５ｂの周囲に形成された平面部（閉塞部）５ｄがマイク４４を覆っている凸部４０ｄに形成された開口部が塞ぐ。凸部４０ｄの開口部が塞がれるとマイク４４への音声データの入力が減少するため、動画撮影時の操作ボタン作動音、撮像装置内部の駆動音または外装部材の開口部で発生する風切り音等を低減させることが可能となる。
【００３５】
図８（ａ）はカメラシステムの上面図、図８（ｂ）は図８（ａ）のＥ−Ｅ線断面図、図８（ｃ）は図８（ｂ）のＦ部の拡大部を示している。
【００３６】
第１パッキン部材３５ａは第１レリーズボタン４と筐体カバー孔部３０ａとの間に設けられ、第２パッキン部材３５ｂはＷｉＦｉボタン６と筐体カバー孔部３０ｂとの間に設けられている。各パッキン部材は、防塵・防水機能のみならず、各ボタン内に収納されるスイッチの外部に漏れる弾き音を低減させることができる。
【００３７】
前述したように、第１レリーズボタン４は２段階の押圧操作、ＷｉＦｉボタン６は１段階の押圧操作が可能である。第１レリーズボタン４に対して１段階目の押圧操作が行われると、撮影準備動作が開始される。第１レリーズボタン４に対して２段階目の押圧操作が行われると、タクトスイッチ５１の出力信号は操作フレキシブル基板５０の配線パターンを通り、主基板に伝達される。これにより、被写体の撮像動作が開始され、撮像された画像のデータが記録媒体に記録される。また、ＷｉＦｉボタン６が押圧操作されると、タクトスイッチ５２の出力信号は操作フレキシブル基板５０の配線パターンを通り、主基板に伝達される。
【００３８】
第１レリーズボタン４の操作ストロークＸ１は、図６に示されている第２レリーズボタン５の操作ストロークＸ２、およびＷｉＦｉボタン６の操作ストロークＸ３より長い。ここで、操作ストロークＸ１は、第１パッキン部材３５ａの第１レリーズボタン４の押し子４ａによりタクトスイッチ５１に接触する部分とタクトスイッチ５１とのクリアランスである。操作ストロークＸ２は、凸部４０ａの押し子５ｂによりタクトスイッチ４２に接触する部分とタクトスイッチ４２とのクリアランスである。操作ストロークＸ３は、第２パッキン部材３５ｂのＷｉＦｉボタン６の押し子６ａによりタクトスイッチ５２に接触する部分とタクトスイッチ５２とのクリアランスである。前述した構成により、第１レリーズボタン４が押圧され、止まるまでの半押し操作と、半押し操作後、さらに第１レリーズボタン４が押圧され、タクトスイッチ５１内のクリック板の変形時に生じるクリック感が発生するまでの全押し操作との差が明確となる。これにより、操作性と操作感・品位を向上させることができる。
【００３９】
以上説明した構成により、小型化を損なうことなく、動画撮影時の操作ボタンの動作音を低減可能であるとともに、意匠性の高い撮像装置を提供することができる。
【００４０】
以上、本発明の好ましい実施形態について説明したが、本発明はこれらの実施形態に限定されず、その要旨の範囲内で種々の変形及び変更が可能である。
【符号の説明】
【００４１】
１      本体部（撮像装置）
５      第２レリーズボタン（第１の操作手段）
５ｄ    平面部（閉塞部）
４４    マイク（音声入力手段）
【図１】
2019133050.tif 000003
【図２】
2019133050.tif 000004
【図３】
2019133050.tif 000005
【図４】
2019133050.tif 000006
【図５】
2019133050.tif 000007
【図６】
2019133050.tif 000008
【図７】
2019133050.tif 000009
【図８】
2019133050.tif 000010